(57)【要約】【課題】水流の影響を受けにくく、十分な剛性を備えたタモの柄の提供。【解決手段】このタモの柄１０は、柄部１２と保持部１３とを備える。保持部１３は、タモ網１１を保持する。柄部１２は、連続部１７、主軸部１８及び後端部１９を備える。柄部１２は全体として日本刀の鞘のように湾曲している。連続部１７は保持部１３と一体的に形成されている。主軸部１８は４本の細長丸棒２０からなる。各細長丸棒２０は、仮想円の円周上に均等に配置されている。各細長丸棒２０間に隙間２４、２５が設けられている。隙間２４、２５が設けられることにより、軸方向２１に直交する方向２２、２３に水が流れる。【選択図】図３
2014057558.tif 000002
【特許請求の範囲】
【請求項１】
タモ網を保持する保持部及び当該保持部に連続する柄部とを有し、
当該柄部の長手方向に直交する方向に流体が流通し得る流路が当該柄部に形成されているタモの柄。
【請求項２】
上記柄部の少なくとも一部は、複数の細長棒状が当該柄部の周方向に均等に配置されることにより構成されており、当該細長棒状部材間の隙間により上記流路が形成されている請求項１に記載のタモの柄。
【請求項３】
上記柄部の少なくとも一部は４本の丸棒からなり、当該柄部は長手方向に沿って湾曲している請求項２に記載のタモの柄。
【発明の詳細な説明】
【技術分野】
【０００１】
この発明は、陸揚げ用すくい上げ具（いわゆる「タモ」）、特に鮎釣りに使用されるタモの柄の構造に関するものである。
【背景技術】
【０００２】
鮎をターゲットとする友釣りでは、釣人は、ターゲットである鮎がヒットすると釣竿を操作してオトリ鮎と共に水中から引き抜いて取り込む。このとき、水中から引き抜かれた鮎は、空中を飛行して釣人側へ引き寄せられるが、釣人は、これをタモ網でソフトに受け取る。なお、タモは、タモ網と、これを支持するタモの柄からなり、釣人は、タモの柄を把持してタモ網を操作する（特許文献１〜特許文献４、非特許文献１参照）。実釣において、釣人は、タモが水に流されないようにタモの柄を腰ベルトに差し込んでおき、ターゲットがヒットしたときにタモの柄を把持して腰ベルトから引き抜く。
【先行技術文献】
【特許文献】
【０００３】
【特許文献１】特開２００８−２５３１６６号公報
【特許文献２】特開２００６−２２３２２３号公報
【特許文献３】特開２００３−７９２７２号公報
【特許文献４】特開２００１−２０４２９９号公報
【非特許文献】
【０００４】
【非特許文献１】2012 SHIMANO Fishing tackle Catalogue  p225〜232
【発明の概要】
【発明が解決しようとする課題】
【０００５】
ところで、友釣りでは、釣人は川の中まで進入することもある。その場合、タモの柄が水没すれば、川の流れの影響でタモの柄に大きな力が作用し、釣人は快適な釣りがしにくくなる。この不都合を解決するためには、タモの柄を細くするなど、タモの柄が流れの影響を受け難くする対策が有効であるが、タモの柄を細くすれば当該タモの柄の曲げ剛性が低下し、本来の鮎を受け止める作業がし難くなるという新たな問題が発生する。
【０００６】
本発明はかかる背景のもとになされたものであって、その目的は、水流の影響を受け難く且つ十分な曲げ剛性を備えたタモの柄を提供することである。
【課題を解決するための手段】
【０００７】
(1) 本発明に係るタモの柄は、タモ網を保持する保持部及び当該保持部に連続する柄部とを有し、当該柄部の長手方向に直交する方向に流体が流通し得る流路が当該柄部に形成されている。
【０００８】
この構成によれば、たとえば鮎釣り（友釣り）の実釣において柄部が水中に埋没したとしても、流れる水が柄部に設けられた流路を通って当該柄部の長手方向に直交する方向に通り抜ける。この流路は、水の流通を許容するために上記長手方向に直交する方向に形成されているので、上記柄部の断面係数を大幅に減少させることが防止される。したがって、上記柄部は、流れの影響を受けにくく、しかも曲げ剛性は必要且つ十分な範囲で維持される。
【０００９】
(2) 上記柄部の少なくとも一部は、複数の細長棒状が当該柄部の周方向に均等に配置されることにより構成されるのが好ましい。そして、当該細長棒状部材間の隙間により上記流路が形成されてるのが好ましい。
【００１０】
この構成では、上記剛性を確保しつつ流水性の高い柄部が、簡単且つ安価に構成され得る。
【００１１】
(3) 上記柄部の少なくとも一部は４本の丸棒からなるのが好ましい。また、当該柄部は長手方向に沿って湾曲しているのが好ましい。
【００１２】
この構成では、柄部の十分な剛性と流通性がきわめて安価に実現される。しかも、当該柄部が湾曲しているので、実釣において釣人が柄部を容易に腰ベルトに挿抜することができる。
【発明の効果】
【００１３】
この発明によれば、水流の影響を受け難く且つ十分な曲げ剛性を備えたタモの柄が提供される。
【図面の簡単な説明】
【００１４】
【図１】図１は、本発明の一実施形態に係るタモの柄の斜視図である。
【図２】図２は、本発明の一実施形態に係るタモの柄の斜視図である。
【図３】図３は、タモの柄の使用状態を示す斜視図である。
【図４】図４は、タモの柄の使用状態を示す斜視図である。
【図５】図５は、タモの柄の正面図である。
【図６】図６は、タモの柄の背面図である。
【図７】図７は、タモの柄の左側面図である。
【発明を実施するための形態】
【００１５】
以下、本発明の好ましい実施形態が、適宜図面が参照されながら説明される。なお、本実施の形態は、本発明に係るタモの柄の一実施態様にすぎず、本発明の要旨を変更しない範囲で実施態様が変更されてもよいことは言うまでもない。
【００１６】
図１及び図２は、本発明の一実施形態に係るタモの柄の斜視図である。また、図３及び図４は、このタモの柄の使用状態を示す斜視図である。さらに、図５乃至図７は、それぞれ、タモの柄の正面図、背面図、左側面図である。
【００１７】
このタモの柄１０は、主として鮎釣りに供されるタモに採用されるものである。このタモの柄１０は、図３及び図４が示すように、タモ網１１を保持することができる。釣人は、タモの柄１０を把持し操作することにより、実釣においてヒットした鮎をすくい取り、あるいは受け取ることができる。
【００１８】
図１及び図２が示すように、タモの柄１０は、細長棒状に形成された柄部１２と、この柄部の先端部に連続して形成された保持部１３とを備えている。
【００１９】
保持部１３は、上記タモ網１１がセットされる部位であって、当該タモ網１１を所定の保持力で保持することができる。保持部１３は、樹脂、木材、金属等により構成される。
【００２０】
図１及び図３並びに図５及び図６が示すように、保持部１３は、全体として漏斗状に形成されており、保持部１３の先端から柄部１２側に向かって外形形状が漸次小さくなっている。保持部１３の先端に矩形の開口１４が設けられており、この開口１４に連続して保持部１３の内部に収容室１５が形成されている。この収容室１５は、保持部１３の先端部の内側がくり抜かれれることにより構成されており、収容室１５の内壁面形状は、タモ網の一部がぴったりと嵌り込むように形成されている。
【００２１】
本実施形態では、保持部１３に固定ネジ１６が設けられている。この固定ネジ１６は、保持部１３に設けられたねじ穴にねじ込まれており、時計回りに回転されることによって当該固定ネジ１６の先端が上記ねじ穴を貫通して上記収容室１５に進入するようになっている。また、固定ネジ１６が反時計回りに回転されることによって当該固定ネジ１６の先端が上記収容室１５から退避するようになっている。タモ網の一部が上記収容室１５に嵌め込まれた状態で上記固定ネジ１６がねじ込まれることにより、当該固定ネジ１６によってタモ網が保持部１６に固定される。
【００２２】
柄部１２は、上記保持部１３に連続して形成されている。柄部１２は、上記保持部１３に連続する連続部１７と、主軸部１８と、後端部１９とを有する。
【００２３】
上記連続部１７は上記保持部１３と一体的に形成されており、各図が示すように、上記連続部１７は上記保持部１３と滑らかに連続している。すなわち、上記連続部１７は、保持部１３を構成する材料と同一の材料からなり、外形形状は、断面が略円形の棒状である。なお、この連続部１７の断面形状は円形に代えて矩形であってもよい。また、この連続部１７は、中空形状であっても中実形状であってもよい。
【００２４】
主軸部１８は、本実施形態では４本の細長丸棒２０からなる。各細長丸棒２０は、樹脂又は金属から構成され得るが、典型的にはアルミニウム合金、チタニウム合金、アクリロニトリルブタジエンスチレン共重合体（ＡＢＳ）、ポリオキシメチレン（ＰＯＭ）が好ましい。各細長丸棒は、中実構造でも中空構造でもよい。各細長丸棒２０の外径は、５ｍｍ〜８ｍｍに設定されるのが好ましい。図１及び図２が示すように、各細長丸棒２０は、主軸部１２の軸方向２１（特許請求の範囲に記載された「長手方向」に相当）を中心とする仮想円の円周上に均等に配置されている。
【００２５】
各細長丸棒２０の両端部は、上記連続部１７の下端面２６及び後に詳述される後端部１９の上端面２７に連結されている。また、図５及び図７が示すように、各細長丸棒２０の間に、主軸部１８の軸方向２１に直交する方向２２、２３（図１参照）に隙間２４、２５が形成されている。この隙間２４、２５は、上記方向２２、２３に水が流通する流路を構成している。この隙間２４、２５は、本実施形態では６ｍｍに設定されているが、４ｍｍ〜１０ｍｍの範囲で適宜設定され得る。本実施形態では、細長丸棒２０の数は４本であるが、２本その他の本数であってもよい。主軸部１８が２本の細長丸棒２０からなる場合は、当該細長丸棒２０は、図７が示すように、矢印２３に沿って並設されるのが好ましい。このように細長丸棒２０が配置されることにより、釣人の腰に巻かれたベルトに主軸部１８が挿通されたときに、タモ網が安定する。
【００２６】
後端部１９は、本実施形態ではいわゆる勾玉形に形成されている。具体的には、後端部１９は、先端に上記先端面２７が形成されており、先端部分の外形形状がもっとも大きく、後端に向かうほど外形形状が漸次小さくなっている。しかも、図１及び図７が示すように、後端部１９は、全体として上記方向２３の背面側に緩やかに湾曲している。すなわち、柄部１２が全体として、いわゆる日本刀の鞘のように、軸方向２１に沿って緩やかに湾曲している。さらに、後端部１９の中央に貫通孔２８が設けられている。この貫通孔２８の端部は面取加工が施されており、後端部１９の外周面と滑らかに連続している。なお、後端部１９の外周面も、その曲率が急激に変化しないように全体が滑面となるように仕上げられている。
【００２７】
本実施形態に係るタモの柄１０が鮎釣り（友釣り）に使用される場合、当該タモの柄１０にタモ網１１が装着される。釣人は、実釣において柄部１２をたとえば腰ベルトに挿入して携帯するが、このとき、図３及び図４が示すように、タモの柄１０は水面に対して起立した状態（図３参照）で使用される場合もあるし、水面に略平行に配置される（図４参照）場合もある。いずれの使用状態であっても、上記柄部１２が水中に埋没した場合に、柄部１２にぶつかる水流は、上記隙間２４、２５（図５、図７参照）を通過する。
【００２８】
このため、水流によって柄部１２に大きな力が作用することがない。特に上記隙間２４、２５は、前述のように柄部１２の軸方向２１に直交する二方向に形成されているから、水流は効率的に柄部１２を通過する。したがって、柄部１２の強度設計において当該柄部１２の断面係数を大幅に減少させなくとも、水流の影響が排除され得る。つまり、上記隙間２４、２５が形成されることにより、上記柄部１２は、流れの影響を受けにくく、しかも十分な曲げ剛性が確保される。加えて、柄部１２ひいてはタモの柄１０の軽量化が図られ、実釣において使い易くなる。
【００２９】
本実施形態では、上記柄部１２は、複数の細長丸棒２０により構成され、各細長丸棒２０が前述のように均等に配置されているので、上記隙間２４、２５が簡単に形成され、柄部１２の剛性が確保されつつ高い流水性も実現される。
【００３０】
特に、柄部１２は、４本の細長丸棒２０から構成されるので、柄部１２が安価に構成されると共に、十分な剛性と流通性が実現される。しかも、柄部１２は、前述のように湾曲しているから、実釣において釣人が柄部１２を容易に腰ベルトに挿抜することができる。
【００３１】
本実施形態では、柄部１２の中央部が上記主軸部１８により構成されているが、柄部１２の全体が上記細長丸棒２０から構成されていてもよい。その場合、上記後端部１９が省略されてもよい。柄部１２の全体が細長丸棒２０から構成される場合も、柄部１２が日本刀の鞘のように緩やかに湾曲しているのが好ましい。
【符号の説明】
【００３２】
１０・・・タモの柄
１２・・・柄部
１３・・・保持部
１７・・・連続部
１８・・・主軸部
１９・・・後端部
２０・・・細長丸棒
２１・・・軸方向
２２・・・直交する方向
２３・・・直交する方向
２４・・・隙間
２５・・・隙間
２８・・・貫通孔
【図１】
2014057558.tif 000003
【図２】
2014057558.tif 000004
【図３】
2014057558.tif 000005
【図４】
2014057558.tif 000006
【図５】
2014057558.tif 000007
【図６】
2014057558.tif 000008
【図７】
2014057558.tif 000009